(57)【要約】【課題】電源が強制的に停止しても、遮蔽部材を移動させることができる画像形成装置を提供する。【解決手段】画像形成装置は、回転可能に設けられ且つループ状に構成された定着部材と、回転可能に設けられ且つ定着部材を加圧する加圧部材と、定着部材の内部に配され且つ定着部材の被加熱領域を含む領域を加熱する熱源２３と、被加熱領域と熱源２３との間の遮蔽位置と、遮蔽位置から退避した退避位置との間を移動可能に設けられた遮蔽部材２５と、定着部材の回転に合わせて、遮蔽部材２５を退避位置へと退避させる退避手段７１と、定着部材の回転停止に合わせて、遮蔽部材２５を遮蔽位置へと進出させる進出手段７３とを備え、進出手段７３は、定着部材の回転が停止するまでに蓄えられたエネルギにより、遮蔽部材２５を進出させる。【選択図】図６
2016080947.tif 000002
【特許請求の範囲】
【請求項１】
記録紙上のトナー画像を定着させて、前記記録紙に画像を形成する画像形成装置において、
回転可能に設けられ且つループ状に構成された定着部材と、
回転可能に設けられ且つ前記定着部材を加圧する加圧部材と、
前記定着部材の内部に配され且つ前記定着部材の被加熱領域を含む領域を加熱する熱源と、
前記被加熱領域と前記熱源との間の遮蔽位置と前記遮蔽位置から退避した退避位置との間を移動可能に設けられた遮蔽部材と、
前記定着部材の回転に合わせて前記遮蔽部材を前記退避位置へと退避させる退避手段と、
前記定着部材の回転停止に合わせて前記遮蔽部材を前記遮蔽位置へと進出させる進出手段と
を備え、
前記進出手段は、前記定着部材の回転が停止するまでに蓄えられたエネルギにより、前記遮蔽部材を進出させる
ことを特徴とする画像形成装置。
【請求項２】
前記エネルギは、前記退避手段が前記遮蔽部材を退避させる際に、蓄えられる
請求項１に記載の画像形成装置。
【請求項３】
前記定着部材は、ベルト部材であり、
前記遮蔽部材は、前記ベルト部材の幅方向と平行に設けられた回転軸のまわりを回転移動したときに前記被加熱部と前記熱源との間を通る回転軌道を有する状態で、前記回転軸に装着されている
請求項１又は２に記載の画像形成装置。
【請求項４】
前記進出手段は、前記回転軸に設けられたばね部材であり、前記遮蔽部材の退避位置への退避に伴って変形し、復元しようとする弾性エネルギが蓄積する
請求項３に記載の画像形成装置。
【請求項５】
前記進出手段は、前記回転軸に設けられた重りであり、前記遮蔽部材の退避位置への退避に伴って上昇し、落下しようとする位置エネルギが蓄積する
請求項３に記載の画像形成装置。
【請求項６】
前記熱源による加熱は、輻射熱を利用し、
前記熱源を基準にして前記被加熱領域と反対側に、前記熱源からの輻射光を前記被加熱部に向けて反射する反射部材を備え、
前記遮蔽部材の退避位置は、前記反射部材の裏側である
請求項１〜５の何れか１項に記載の画像形成装置。
【請求項７】
前記熱源による加熱は、輻射熱を利用し、
前記遮蔽部材の退避位置は、前記熱源を基準にして前記被加熱領域と反対側にあり、
前記遮蔽部材は、前記退避位置において、前記熱源からの輻射光を前記被加熱領域に向けて反射する円弧状をしている
請求項３〜５の何れか１項に記載の画像形成装置。
【請求項８】
前記定着部材の内部であって前記退避位置に対して前記熱源と反対側位置に、前記加圧部材を内側から支持する支持部材が配されている
請求項１〜７の何れか１項に記載の画像形成装置。
【発明の詳細な説明】
【技術分野】
【０００１】
本発明は、記録紙上のトナー画像を定着させて、前記記録紙に画像を形成する画像形成装置に関する。
【背景技術】
【０００２】
トナー画像を定着させる定着部として、加熱手段に金属基材と弾性ゴム層とから構成される定着ベルトを用いたものが知られている。この加熱手段は、無端状の定着ベルトの内側に、定着ベルトを加熱するための熱源と、加圧ローラに対して内側から支持する支持部材とを少なくとも有している。
上記構成の定着部では、定着ベルトが熱源により加熱されて、一定温度以上を越えると熱変形を生じやすい。つまり、印刷を行った後、定着ベルトが停止すると、定着ベルトにおける熱源に近い部位では、熱源により次回の印刷まで加熱されることになり、局部的に熱変形を生じやすい。
これを防止するために、印刷後に、熱源と当該熱源に近い部分との間に遮蔽部材を移動させるようにした技術がある（例えば、特許文献１）。
【先行技術文献】
【特許文献】
【０００３】
【特許文献１】特開２０１３−１７４７８５号公報
【発明の概要】
【発明が解決しようとする課題】
【０００４】
上記特許文献１に記載の画像形成装置では、装置の電源が強制的に停止すると、遮蔽部材が移動できず、定着ベルトの局部的な加熱を抑制することはできない。
本発明の目的は、電源が強制的に停止しても、遮蔽部材を移動させることができる画像形成装置を提供することである。
【課題を解決するための手段】
【０００５】
本発明に係る画像形成装置は、記録紙上のトナー画像を定着させて、前記記録紙に画像を形成する画像形成装置において、回転可能に設けられ且つループ状に構成された定着部材と、回転可能に設けられ且つ前記定着部材を加圧する加圧部材と、前記定着部材の内部に配され且つ前記定着部材の被加熱領域を含む領域を加熱する熱源と、前記被加熱領域と前記熱源との間の遮蔽位置と、前記遮蔽位置から退避した退避位置との間を移動可能に設けられた遮蔽部材と、前記定着部材の回転に合わせて前記遮蔽部材を前記退避位置へと退避させる退避手段と、前記定着部材の回転停止に合わせて前記遮蔽部材を前記遮蔽位置へと進出させる進出手段とを備え、前記進出手段は、前記定着部材の回転が停止するまでに蓄えられたエネルギにより、前記遮蔽部材を進出させることを特徴としている。
【発明の効果】
【０００６】
本発明に係る画像形成装置は、上記構成のため、電源が強制的に停止しても、遮蔽部材を移動させることができる。
【図面の簡単な説明】
【０００７】
【図１】画像形成装置の断面概略図である。
【図２】定着部周辺の断面図である。
【図３】遮蔽部材が退避位置にある加熱手段の横断面図である。
【図４】遮蔽部材が遮蔽位置にある加熱手段の横断面図である。
【図５】遮蔽部材が退避位置にある加熱部材の縦断面図である。
【図６】第１の実施形態に係る進出手段及び退避手段の概略を示す斜視図である。
【図７】第１の実施形態に係る遮蔽部材の移動の様子を示す図である。
【図８】第２の実施形態に係る遮蔽部材の移動の様子を示す図である。
【図９】変形例に係る進出手段を示す概略図である。
【図１０】変形例に係る進出手段を示す概略図である。
【発明を実施するための形態】
【０００８】
以下、本発明の一態様に係る画像形成装置の実施形態について、図面を参照しながら説明する。
【０００９】
＜第１の実施形態＞
１．画像形成装置の概略
画像形成装置１は、図１に示すように、トナー像を記録紙に形成する画像形成部２と、形成されたトナー像を定着する定着部３とを備える他、感光ドラムを感光する感光部４、画像形成部２に記録紙を供給する給紙部５、トナー像が定着された記録紙を排出トレイ６に排出する排出部７、各種機能の表示や各種機能の選択操作等を行うための操作表示部、選択された機能を実行するために各部を制御する制御部を備える。なお、画像形成装置１は、カラー画像をタンデム式で形成し、記録紙の両面に画像を形成できる（つまり、両面印刷である。）タイプである。
【００１０】
２．定着部
定着部３は、図２に示すように、加熱手段１１と加圧手段１３と備え、この２つの手段の当接部分によりニップ部１４が形成される。
定着部３は、上記構成以外に、例えば、定着部３に供給される記録紙をニップ部１４へと案内するガイド部材１５、定着された記録紙を排出するための一対の排出ローラ１７，１９を備えてもよい。
【００１１】
（１）加熱手段
加熱手段１１は、図２から図４に示すように、回転可能に設けられ且つループ状に構成された定着部材２１、定着部材２１の内部に配され且つ定着部材２１の被加熱領域２１ａを加熱する熱源２３と、被加熱領域２１ａと熱源２３との間の遮蔽位置Ａ（図４の状態である。）と遮蔽位置Ａから退避した退避位置Ｂ（図３の状態である。）との間を移動可能に設けられた遮蔽部材２５とを備える。
加熱手段１１は、内部に、例えば、被加熱領域２１ａを効率的に加熱するための反射部材２７や、加圧手段１３からの圧力を内側から支持する支持部材２９等を備えてもよい。
遮蔽部材２５は、退避手段７１により退避位置Ｂに退避し、進出手段７３により遮蔽位置Ａに進出する。
【００１２】
（１−１）定着部材
定着部材２１は、ここでは無端状のベルト部材により構成されている。つまり、定着部材２１は、所謂、定着ベルトである。以下、定着ベルトの符号も「２１」を用いる。
定着ベルト２１は、金属基材とゴム層とから構成され、図５に示すように、両端が金属製のリング部材３１に固定されている。リング部材３１は、回転自在な状態で支持されており、加圧手段１３の回転に伴って従動（回転）する。
定着ベルト２１は、記録紙の定着の際には回転しており、熱源２３により加熱された被加熱領域２１ａが回転してニップ部１４で、記録紙に形成されたトナー画像を定着する。
【００１３】
（１−２）熱源
熱源２３は、輻射熱（輻射光）を利用して、定着ベルト２１を加熱する。熱源２３は、図５に示すように、定着ベルト２１の回転軸が延伸する方向に沿って延伸する長尺状をしている。熱源２３として、例えば、ハロゲンランプ（ハロゲンヒータ）を利用することができる。熱源２３の輻射光は、定着ベルト２１の内面であって当該熱源と対向する領域（被加熱領域２１ａを含む）に達する。熱源２３は、図３から図５に示すように、棒状をしており、定着ベルト２１（リング部材３１）から張り出した端部が、図外の支持部材により支持され、図外の電源に電気的に接続されている。
【００１４】
（１−３）遮蔽部材
遮蔽部材２５は、定着ベルト２１の回転軸が延伸する方向に沿って延伸する長尺状をしている。遮蔽部材２５は、図６に示すように、回転自在に配された回転軸３３，３５に固定具３７を介して装着されている(図５参照）。遮蔽部材２５の横断面形状は、図３及び図４に示すように円弧状をし、円弧の中心が回転軸３３，３５側に位置する状態で、回転軸３３，３５に取り付けられている。
固定具３７は、たとえば、帯状の金属板を「Ｖ」字状に湾曲させた形状をし、湾曲部分が回転軸３３，３５に固定され、各端部が遮蔽部材２５の長手方向の端部であって円弧の端に位置する端部に固定される。
【００１５】
回転軸３３，３５は、定着ベルト２１の回転軸方向（定着ベルト２１の回転方向と直交する方向である。）と平行な方向に延伸する。回転軸３５は、図５に示すように、定着ベルト２１の両端側に配されている。なお、回転軸３３は、図示していないが、回転軸３５と同様に、定着ベルトの両端側に配されている。
遮蔽部材２５は、回転軸３３，３５の回転により回転移動したときに被加熱領域２１ａと熱源２３との間を通る回転軌道（図４の一点鎖線で示す）３７を有する。
遮蔽部材２５は、記録紙の定着開始に合わせて、遮蔽位置Ａから回転軌道３７を通り退避位置Ｂへと移動（退避）し、記録紙の定着終了に合わせて、退避位置Ｂから回転軌道３７を通り遮蔽位置Ａへと移動（進出）する。
退避位置Ｂは、熱源２３を基準にして被加熱領域２１ａと反対側の位置である。つまり、被加熱領域２１ａ、熱源２３、退避位置Ｂは、一直線上に存在する。
【００１６】
（１−４）反射部材
反射部材２７は、熱源２３を基準にして被加熱領域２１ａと反対側に設けられている。反射部材２７は、熱源２３からの輻射光を被加熱領域２１ａに向けて反射する。なお、遮蔽部材２５の退避位置Ｂは、反射部材２７の裏側である。
反射部材２７は、図５に示すように、固定具３９を介して、例えば、熱源２３に固定されている。固定具３９は、帯状の金属板を利用して、一端部が反射部材２７に、他端部が熱源２３にそれぞれ固定されている。
【００１７】
（１−５）支持部材
支持部材２９は、定着ベルト２１の内側であって加圧手段１３に対応する部分に配されている。支持部材２９は、例えば、金属材料により構成され、定着ベルト２１の外側で固定されている。支持部材２９は、退避位置Ｂの遮蔽部材２５に対して熱源２３と反対側位置に配されている。なお、支持部材２９は、定着ベルト２１や加圧手段１３を回転自在に支持するフレーム等に固定されている。
【００１８】
（２）加圧手段
加圧手段１３は、図２及び図３に示すように、回転可能に設けられ且つ定着ベルト２１を加圧する。加圧手段１３として、例えば、ゴムローラ等が利用される。ゴムローラは、ここでは、回転駆動される。
【００１９】
３．退避手段および進出手段
退避手段７１および進出手段７３について図６を用いて説明する。なお、図６は、定着ベルト２１、反射部材２７の図示は省略している。また、図６において、紙面における上部に定着ベルトの被加熱領域２１ａが存在する（定着ベルト２１の図示は上述したように省略している。）。
【００２０】
（１）概略
定着ベルト２１の回転に合わせて、退避手段７１は遮蔽部材２５を退避位置Ｂへと退避させる。定着ベルト２１の回転停止に合わせて、進出手段７３は遮蔽部材２５を遮蔽位置Ａへと進出させる。進出手段７３は、定着ベルト２１の回転が停止するまでに蓄えられたエネルギを駆動源として、遮蔽部材２５を進出させるように構成されている。このエネルギは、例えば、退避手段７１が遮蔽部材２５を退避させる際に、蓄えられる。
【００２１】
（２）退避手段
退避手段７１は、図６に示すように、遮蔽部材２５を遮蔽位置Ａから退避位置Ｂへと向かう（この向きを「退避方向」とする。）ように、回転軸３３を回転させる。
一例としての退避手段７１は、駆動軸４１と、駆動軸４１の駆動を回転軸３３に伝達する駆動伝達部と有している。これ以外に、ここでの退避手段７１は、駆動伝達のオン・オフを行う伝達スイッチを有している。
駆動伝達部は、一対のギア４３，４５により構成され、ギア４３は、伝達スイッチであるクラッチ４７を介して駆動軸４１に接続され、ギア４５は、回転軸３３に接続される。
クラッチ４７は、トナー像が形成された記録紙が供給され始めると駆動軸４１とギア４３側の回転軸４３ａとを連結し、記録紙の定着が終わって記録紙を排出すると駆動軸４１と回転軸４３ａとの連結を切断する。
【００２２】
回転軸３３，３５には、遮蔽部材２５の位置規制のための回転規制部４９，５１が設けられている。具体的には、退避位置を規制する退避回転規制部４９は、回転軸３３に取り付けられた規制棒５３と、遮蔽部材２５が退避位置Ｂに到達した位置で規制棒５３が当接するストッパー５５とから構成される。進出位置を規制する進出回転規制部５１は、回転軸３５に取り付けられた規制棒５７と、遮蔽部材２５が遮蔽位置Ａに到達した位置で規制棒５７が当接するストッパー５９とから構成される。
回転規制部４９，５１の設置に伴い、回転軸３３に過トルクが作用しないように、回転軸３３はトルクリミッター６１を介してギア４５に接続されている。なお、トルクリミッター６１のリミット値は、駆動軸４１を駆動するトルクより小さい。
【００２３】
（３）進出手段
進出手段７３は、回転軸３３，３５のうち少なくとも一方に設けられたばね部材６３であり、遮蔽部材２５の退避位置Ｂへの移動（退避）に伴って変形し、遮蔽部材２５が遮蔽位置Ａへ復元しようとする弾性エネルギが蓄積する。この弾性エネルギが遮蔽部材２５を進出させる駆動源となる。ここでの進出手段７３は、復元手段ともいえる。
ここでは、ばね部材はコイルばねであり、その一端が回転軸３５に、その他端が支持部材２９等の固定部材に取り付けられている。なお、遮蔽部材２５の位置が退避位置Ｂである場合、コイルばねに蓄積されるトルク（復元しようとする力）は駆動軸４１を駆動させるトルクよりも小さい。
遮蔽部材２５の位置が遮蔽位置Ａの場合、コイルばねは、規制棒５７をストッパー５９に押し付けるエネルギが残存している。
【００２４】
４．遮蔽部材の動作について
遮蔽部材２５の移動動作について図７を用いて説明する。なお、図７は、定着ベルト２１、反射部材２７の図示は省略している。また、図７において、紙面における上部に定着ベルトの被加熱領域２１ａが存在する（定着ベルト２１の図示は上述したように省略している。）。
（１）定着開始時
通常、遮蔽部材２５は、図７の（ｂ）に示すように、ばね部材６３により遮蔽位置Ａに存在している。この状態で、記録紙が定着部３に供給され始まると、加圧手段１３が回転駆動しはじめ、定着ベルト２１が従動して回転する。
それに合わせて、クラッチ４７がつながり、駆動軸４１の駆動力が、一対のギア４３，４５を介して回転軸３３に伝達する。これにより、遮蔽部材２５は、回転軸３３，３５の周りを回転しはじめる。この回転により、ばね部材６３に復元しようするエネルギが蓄積される。
やがて、図７の（ａ）に示すように、遮蔽部材２５が退避位置Ｂに退避し、規制棒５３がストッパー５５に当接して、遮蔽部材２５の移動が止まる。このとき、駆動軸４１は回転しているが、駆動軸４１からの伝達トルクがトルクリミッター６１のリミット値を超えるため、リミッターが働く。これにより回転軸３３は停止（静止）する。
【００２５】
（２）定着終了時
記録紙の定着が終了すると、加圧手段１３は回転駆動を停止し、定着ベルト２１も停止する。
それに合わせて、クラッチ４７が切れ、駆動軸４１の駆動力が回転軸３３に伝達しなくなる。一方で、ばね部材６３には、駆動軸４１から伝達されるトルクと反対向きに遮蔽部材２５を移動させようとするエネルギが残存している。遮蔽部材２５は、このエネルギにより、図７の（ａ）に示す退避位置Ｂから図７の（ｂ）に示す遮蔽位置Ａに向かって移動する。
やがて、遮蔽部材２５が遮蔽位置Ａに移動し、規制棒５７がストッパー５９に当接して、遮蔽部材２５の移動が止まる。
このように、遮蔽部材２５は、例えば、駆動軸４１の駆動伝達がなくなった場合でも、退避位置Ｂから遮蔽位置Ａへと自ら移動できる。このため、急な電源供給停止等のトラブルがあったとしても、遮蔽部材２５は遮蔽位置Ａへと進出できる。特に、進出手段７３として、遮蔽部材２５の復元エネルギを発生させるばね部材６３を利用することで、非常に簡単な構造で実施できる。
【００２６】
＜第２の実施形態＞
第１の実施形態では、遮蔽部材２５が取り付けられた回転軸３３，３５に対して、その回転を規制する回転規制部４９，５１が設けられている。
第２の実施形態では、回転規制部を有しない画像形成装置について説明する。第２の実施形態に係る画像形成装置は、第１の実施形態における退避手段７１と進出手段７３とが異なるだけであり、ここでは、第２の実施形態の退避手段１０１と進出手段１０３について、図８を用いて説明する。なお、図８も、定着ベルト２１、反射部材２７の図示は省略している。また、図８においても、紙面における上部に定着ベルトの被加熱領域２１ａが存在する（定着ベルト２１の図示は上述したように省略している。）。
【００２７】
退避手段１０１は、図８に示すように、駆動軸４１と、駆動軸４１の駆動を回転軸３３に伝達する駆動伝達部と、駆動伝達のオン・オフを行う伝達スイッチであるクラッチ４７を有している。
駆動伝達部は、一対のギア４３，４５により構成され、ギア４３は、伝達スイッチであるクラッチ４７を介して駆動軸４１に接続され、ギア４５は、トルクリミッター１０７を介して回転軸３３に接続される。
【００２８】
進出手段１０３は、回転軸３５に設けられたばね部材１０９により構成されている。ばね部材１０９は、遮蔽部材２５の退避位置Ｂへの移動（退避）に伴って変形し、遮蔽部材２５が遮蔽位置Ａへ復元しようとする弾性エネルギが蓄積する。このため、進出手段１０３は、復元手段ともいえる。ここでも、第１の実施形態と同様に、ばね部材１０９としては、コイルばねが利用されている。
トルクリミッター１０７とばね部材１０９は、遮蔽部材２５を退避方向に退避させる際の駆動軸４１から伝達されたトルクリミッター１０７に作用しているトルクと、退避方向への退避によってばね部材１０９に蓄積するエネルギとが退避位置Ｂでほぼ等しくなるように、設定されている。
また、ばね部材１０９は、遮蔽位置Ａで、蓄積するエネルギがほぼ０になるように、設定されている。
以上の設定により、第１の実施形態での回転規制部を有していなくても、遮蔽部材２５を、遮蔽位置Ａと退避位置Ｂとの間で移動させることができる。
【００２９】
＜その他＞
１．反射部材
実施形態では、定着部材（定着ベルト２１）内に反射部材２７を有している。しかしながら、例えば、反射部材を遮蔽部材により代用することもできる。
この場合、遮蔽部材は、退避位置Ｂにおいて、熱源からの輻射光を被加熱領域に向けて反射するように、横断面を円弧状にすることが好ましい。さらに、遮蔽部材は、退避位置Ｂにおいて熱源と対向する側の面を反射面となるように、加工されるのが好ましい。加工としては、遮蔽部材が金属材料の場合の鏡面仕上げであったり、遮蔽部材が石英ガラスの場合はめっき・蒸着加工であったりする。
【００３０】
退避位置Ｂの遮蔽部材を、被加熱領域と熱源とを結ぶ仮想線上に配置するのが好ましい。これにより、遮蔽部材を反射部材として有効に利用できる。
また、支持部材を、被加熱領域、熱源および退避位置Ｂの遮蔽部材を結ぶ仮想線上に配置するのが好ましい。これにより、遮蔽部材が遮蔽位置Ａに進出し、熱源からの輻射光が退避位置Ｂ側に向けて照射されても、支持部材が存在するため定着部材の熱劣化を抑制できる。
さらに、遮蔽部材が反射部材を兼用し、支持部材が遮蔽位置Ａに存在する場合、熱源から被加熱領域に向けて照射された輻射光は遮蔽部材により熱源側に反射される。しかしながら、反射した輻射光の進行方向には支持部材が存在するため、反射した輻射光による定着部材の熱劣化を抑制できる。
【００３１】
２．進出手段
実施形態では、進出手段の一例としての復元手段としてのばね部材をコイルばねで構成している。しかしながら、復元手段は、復元力を発生できればよく、他のばね部材であってもよい。他のばね部材としては、図９に示すように、引張りばね１５１を利用できる。なお、引張りばね１５１の一端１５１ａはワイヤー１５３を介して回転軸３５に固定され、他端１５１ｂがフレーム等に固定されている。回転軸３５の回転により、引張りばね１５１が伸長し、戻ろうとする復元力である弾性エネルギが蓄積される。
【００３２】
実施形態や上記例では、復元力として弾性エネルギを利用したが、他のエネルギであってもよい。他のエネルギとしては、例えば、図１０に示すように、重り１６１を利用できる。重り１６１は、滑車１６３を経由するワイヤー１６５を介して回転軸３５に接続されている。回転軸３５の回転に伴って、重りが上昇し、位置エネルギが蓄積される。また、上記の位置エネルギだけでなく、弾性エネルギも併用してもよい。例えば、図１０に示す重り１６１に引張りばねを接続して、重り１６１の上昇に伴って引張りばねが伸長するようにすれば実施できる。また、復元力は、磁石の反発力を利用して、回転停止時に反発力により遮蔽部材を復元させてもよい。
一方、進出手段は、復元エネルギを利用しなくてもよい。例えば、進出手段は、進出力として、キャパシタ等のバッテリ(電気エネルギを蓄積する）を利用し、定着時にバッテリを充電し、定着終了に合わせて、バッテリにより回転軸を駆動させても良い。
【００３３】
＜変形例＞
以上、実施形態に係る画像形成装置について説明したが、本発明は上記実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００３４】
１．画像形成装置
画像形成装置は、例えば、複写機、ファクシミリ、プリンタ等に適用でき、また、これらの機能が併設された複合機に適用できる。
画像の形成は、タンデム型のフルカラーであったが、モノクロであっても良い。
【００３５】
２．定着部
定着部材は、断面形状を円環状であっても良いし、例えば、楕円形状、長円形状の断面形状であってもよい。
さらに、熱源と遮蔽部材は、定着部材の内部に存在していても良いし、外部にあっても良い。この場合においても、遮蔽部材の遮蔽位置への進出に、進出動作前に蓄積されたエネルギを利用することができる。
定着部材は、回転自在に支持され、加圧手段の回転に従動していたが、例えば直接回転駆動される構造であってもよい。また、熱源からの輻射光を被加熱領域に収集レンズを、被加熱領域と熱源の間に有してもよい。
【００３６】
３．遮蔽部材
遮蔽部材は、遮蔽位置と退避位置との間を移動可能に支持される構造であればよく、回転運動により両位置を移動してもよいし、直線運動により両位置を移動してもよい。移動スペース・構造を考慮すると回転運動を利用ことが好ましい。
遮蔽部材は、円弧状をしていたが、例えば、六角形等の多角形の一部を切り出したような形状や平板状をしていてもよい。さらには、遮蔽部材は、円形状や六角形等の多角形であって、退避位置にある状態で被加熱領域に対応した部分が開口するような形状であってもよい。
【００３７】
４．退避手段
退避手段は、遮蔽部材を遮蔽位置から退避位置まで移動させる構造であればよく、例えば、ギア、クラッチ、トルクリミッターを利用せずに構成してもよい。
また、退避手段は、回転（トルク）駆動を利用していたが、例えば、ラックとピニオンを用いた直線駆動を利用してもよい。
【符号の説明】
【００３８】
１    画像形成装置
３    定着部
１１    加熱手段
１３    加圧手段
２１    定着ベルト（定着部材）
２１ａ  被加熱領域
２３    熱源
２５    遮蔽部材
２７    反射部材
２９    支持部材
３３，３５    回転軸
７１    退避手段
７３    進出手段
【図１】
2016080947.tif 000003
【図２】
2016080947.tif 000004
【図３】
2016080947.tif 000005
【図４】
2016080947.tif 000006
【図５】
2016080947.tif 000007
【図６】
2016080947.tif 000008
【図７】
2016080947.tif 000009
【図８】
2016080947.tif 000010
【図９】
2016080947.tif 000011
【図１０】
2016080947.tif 000012